(57)【要約】【課題】  パネルの収納部及びハンガーレールの接合部のいずれにおいても、パネルを円滑に移動させ得る間仕切りパネルのハンガーレールを提供する。【解決手段】  水平方向に転動する上部転動輪と下部転動輪とを備えたランナーを、レール部材の内壁から互い違いに突出する斜面で移動可能に支持する間仕切りパネルのハンガーレールにおいて、レール部材は、該レール部材が直角方向に接合される接合部１４ａ〜１４ｃを含む接合部領域Ａを構成する第一のレール部材１５ａと、その他の領域を構成する第二のレール部材１５ｂとから構成し、第二のレール部材１５ｂは斜面を備えた支持片１６ａ，１６ｂで上部転動輪および下部転動輪を支持し、第一のレール部材１５ａは支持片１６ａ，１６ｂに加えて、上部転動輪を支持する補助片１７を支持片１６ａに対向する位置に備えた。【選択図】      図１
2005351044.tif 000002
【特許請求の範囲】
【請求項１】
水平方向に転動する上部転動輪と下部転動輪とを備えたランナーを、レール部材の内壁から互い違いに突出する斜面で移動可能に支持する間仕切りパネルのハンガーレールにおいて、
前記レール部材は、該レール部材が直角方向に接合される接合部を含む接合部領域を構成する第一のレール部材と、その他の領域を構成する第二のレール部材とから構成し、前記第二のレール部材は前記斜面を備えた支持片で前記上部転動輪および下部転動輪を支持し、前記第一のレール部材は前記支持片に加えて、前記上部転動輪を支持する補助片を前記支持片に対向する位置に備えたことを特徴とする間仕切りパネルのハンガーレール。
【請求項２】
前記一対の支持片は、前記第一及び第二のレール部材の中心に向かって下がる斜面で前記上部転動輪及び下部転動輪を支持し、前記補助片は前記ランナーの直線移動時に前記上部転動輪との間に隙間を有する位置に設けたことを特徴とする請求項１記載の間仕切りパネルのハンガーレール。
【請求項３】
前記第一のレール部材と第二のレール部材との連結部において、前記補助片の端面上部には面取りを形成したことを特徴とする請求項１又は２記載の間仕切りパネルのハンガーレール。
【請求項４】
前記第一のレール部材と第二のレール部材との連結部において、前記補助片の端面の角部には円弧部を形成したことを特徴とする請求項１乃至３のいずれか１項に記載の間仕切りパネルのハンガーレール。
【発明の詳細な説明】
【技術分野】
【０００１】
この発明は、水平方向に転動するランナーを介してパネルを移動可能に吊下支持する間仕切りパネルのハンガーレールに関するものである。
【背景技術】
【０００２】
間仕切りパネルは、天井面等に配設されるハンガーレール内に多数のランナーが移動可能に支持され、その各ランナーから吊下ボルトを介して多数枚のパネルが吊下支持される。前記ハンガーレールはアルミ押出し形材で形成される。そして、各ランナーをハンガーレール内で移動させることにより、各パネルの引き出し操作あるいは畳み込み操作が可能となっている。
【０００３】
図８は、ハンガーレールに沿って移動する間仕切りパネルの概要を示す。ハンガーレール１は接合部２ａを経て縦横に延設され、そのハンガーレール１に沿ってパネル３が移動可能に支持される。パネル３はその両端部近傍に設けられるランナー４によりハンガーレール１から吊下支持される。
【０００４】
また、パネル３を収納する収納部５では、ハンガーレール１が接合部２ｂ，２ｃから平行に延設され、そのハンガーレール１間でパネル３が同ハンガーレール１に直交する方向に平行に支持されて収納される。
【０００５】
前記ハンガーレール１を構成するレール部材の一例を図９及び図１０に示す。図９に示すレール部材１ａは、一方の内側面の上下方向中央部にランナー４の上部転動輪６ａを支持する支持片７ａが突出され、他方の内側面の下端部にはランナー４の下部転動輪６ｂを支持する支持片７ｂが突出される。支持片７ａ，７ｂの上面は、レール部材１ａの中心方向に向かって下がる斜面として形成される。
【０００６】
前記支持片７ａに対向する位置には、レール部材１ａの内側面から突出する補助片８が形成されている。補助片８の上面はほぼ水平面であり、その高さは支持片７ａの上面の先端部とほぼ等しい。
【０００７】
図１０に示すレール部材１ｂは、前記レール部材１ａから補助片８を省略した構成である。
そして、このようなレール部材１ａ，１ｂ内を移動するランナー４は、レール部材１ａ，１ｂ内において上部転動輪６ａが支持片７ａ上を転動し、下部転動輪６ｂが支持片７ｂ上を転動する。
【０００８】
上記のようなハンガーレール１に沿ってパネル３を移動させるとき、パネル３がハンガーレール１に対し平行な状態で移動するときには、上部転動輪６ａ及び下部転動輪６ｂが支持片７ａ，７ｂ上を移動するため、ランナー４がハンガーレール１内を円滑に移動する。
【０００９】
従って、レール部材１ａ，１ｂのいずれを使用してハンガーレール１を構成しても、パネル３を円滑に移動させることができる。
一方、収納部５でパネル３を移動させるとき、図１１に示すように、操作者がパネル３を操作すると、パネル３がハンガーレール１から斜めに吊下支持される状態となりやすい。すると、ハンガーレール１をレール部材１ａで構成したとき、上部転動輪６ａが補助片８に当接する状態となる。従って、上部転動輪６ａの円滑な回転が妨げられるため、パネル３を円滑に移動させることができない。
【００１０】
ハンガーレール１をレール部材１ｂで構成した場合、補助片８は存在しないので、収納部５においてこのように不具合は生じない。
しかし、ハンガーレール１をレール部材１ｂで構成すると、パネル３のランナー４が接合部２ａ〜２ｃを通過するとき、ランナー４を円滑に移動させることができない。すなわち、たとえば図１２に示す接合部２ｂでは、レール部材１ｂがＴ字状に接合され、その接合部は互いに４５度方向に切断された接合面で接合される。そして、支持片７ａの継ぎ目９ａは尾根状となる。
【００１１】
すると、ランナー４が図１２において下方から接合部２ｂを経て上方へ移動するとき、上部転動輪６ａが継ぎ目９を乗り越えると、同図においてランナー４が左方へスライドしながら若干下降し、次いで上部転動輪６が支持片７ａに乗り上げながら右方へスライドして、同図において上方へ移動する。
【００１２】
このようなことから、レール部材１ｂを使用したハンガーレール１では、接合部２ａ〜２ｃにおいて、ランナー４がスライドし、かつ上下動するため、パネル３を円滑に移動させることができない。このため、同図に示すように、接合部２ｂを移動するランナー４のスライド動作及び上下動を抑制するように、支持片７ａ，７ｂに切削面１０を形成することも提案されている。
【００１３】
レール部材１ａを使用したハンガーレール１では、上部転動輪６ａ及び下部転動輪６ｂが下降しようとするとき、補助片８に支持されるため、ランナー４が接合部２ａ〜２ｃを移動するときにも、円滑さが大きく損なわれることはない。
【００１４】
特許文献１，２には、ランナーの方向転換部において、ハンガーレールに所要の加工を施すことにより、ランナーを円滑に移動させる構成が開示されている。
【特許文献１】特開２０００−４５６１７号公報
【特許文献２】特公平７−９６５号公報
【発明の開示】
【発明が解決しようとする課題】
【００１５】
上記のように、レール部材１ａを使用したハンガーレール１では、接合部２ａ〜２ｃでは、パネル３を円滑に移動させることができるが、収納部５ではパネル３を円滑に移動させることができない。
【００１６】
レール部材１ｂを使用したハンガーレール１では、収納部５でパネル３を円滑に移動させることはできるが、接合部２ａ〜２ｃでパネル３を円滑に移動させることができない。
また、特許文献１，２に記載された構成では、ハンガーレール１に所要の加工を施す必要があるため、コストが上昇する。
【００１７】
この発明の目的は、パネルの収納部及びハンガーレールの接合部のいずれにおいても、パネルを円滑に移動させ得る間仕切りパネルのハンガーレールを提供することにある。
【課題を解決するための手段】
【００１８】
請求項１では、水平方向に転動する上部転動輪と下部転動輪とを備えたランナーを、レール部材の内壁から互い違いに突出する斜面で移動可能に支持する間仕切りパネルのハンガーレールにおいて、前記レール部材は、該レール部材が直角方向に接合される接合部を含む接合部領域を構成する第一のレール部材と、その他の領域を構成する第二のレール部材とから構成し、前記第二のレール部材は前記斜面を備えた支持片で前記上部転動輪および下部転動輪を支持し、前記第一のレール部材は前記支持片に加えて、前記上部転動輪を支持する補助片を前記支持片に対向する位置に備えた。
【００１９】
請求項２では、前記一対の支持片は、前記第一及び第二のレール部材の中心に向かって下がる斜面で前記上部転動輪及び下部転動輪を支持し、前記補助片は前記ランナーの直線移動時に前記上部転動輪との間に隙間を有する位置に設けた。
【００２０】
請求項３では、前記第一のレール部材と第二のレール部材との連結部において、前記補助片の端面上部には面取りを形成した。
請求項４では、前記第一のレール部材と第二のレール部材との連結部において、前記補助片の端面の角部には円弧部を形成した。
【発明の効果】
【００２１】
本発明によれば、パネルの収納部及びハンガーレールの接合部のいずれにおいても、パネルを円滑に移動させ得る間仕切りパネルのハンガーレールを提供することができる。
【発明を実施するための最良の形態】
【００２２】
以下、この発明を具体化した一実施の形態を図面に従って説明する。図１に示すハンガーレール１１は、収納部１２と直線搬送部１３とが接合部１４ａ〜１４ｃを介して連結されている。
【００２３】
前記接合部１４ａ〜１４ｃを含む接合部領域Ａを構成するレール部材は、図２に示す第一のレール部材１５ａで構成され、その他の領域を構成するレール部材は、図３に示す第二のレール部材１５ｂで構成される。
【００２４】
前記第一のレール部材１５ａは、前記従来例のレール部材１ａに相当するものであり、一方の内壁の上下方向中央部に従来例と同様なランナー４の上部転動輪６ａを支持する支持片１６ａが突出され、他方の内側面の下端部にはランナー４の下部転動輪６ｂを支持する支持片１６ｂが前記支持片１６ｂに対し互い違いに突出される。支持片１６ａ，１６ｂの上面は、第一のレール部材１５ａの中心に向かって下がる斜面として形成される。
【００２５】
前記支持片１６ａに対向する位置には、第一のレール部材１５ａの内側面から突出する補助片１７が形成されている。補助片１７の上面はほぼ水平面であり、その高さは支持片１６ａの上面の先端部とほぼ等しい。従って、ランナー４が第一のレール部材１５ａ内を直線移動するとき、上部転動輪６ａと補助片１７との間には隙間が介在して、上部転動輪６ａが補助片１７に当接しないようになっている。
【００２６】
第二のレール部材１５ｂは、前記第一のレール部材１５ａから補助片１７を省略した構成であり、その他の構成は第一のレール部材１５ａと同一である。そして、接合部領域Ａを構成する第一のレール部材１５ａと、その他の領域を構成する第二のレール部材１５ｂとは、それぞれ溶接、ジョイント金具あるいはジョイントピンにより接続され、かつ図示しないブラケットで保持される。
【００２７】
このように構成されたハンガーレール１１では、収納部１２は第二のレール部材１５ｂで構成されるため、ハンガーレール１１に対しパネルが傾いても、パネルを円滑に移動させることができる。直線搬送部１３では、第二のレール部材１５ｂによりパネルを円滑に移動させることができる。
【００２８】
接合部１４ａ〜１４ｃは、第一のレール部材１５ａで構成されているので、ランナーを円滑に移動させることができる。また、接合部領域Ａ内でランナー４が第一のレール部材１５ａ内を直線移動するときには、上部転動輪６ａは補助片１７に当接しない。従って、接合部１４ａ〜１４ｃを含む接合部領域Ａ内において、パネルを円滑に移動させることができる。
【００２９】
図４は、前記第一のレール部材１５ａの接合端面を示す。第一のレール部材１５ａと第二のレール部材１５ｂとの接合部では、第二のレール部材１５ｂでは存在しない補助片１７が突出されるので、補助片１７の端面の上隅部に面取り１８が施されている。
【００３０】
このような構成により、ランナーが第二のレール部材１５ｂ内から第一のレール部材１５ａ内に移動するとき、ランナーの上部転動輪と補助片１７の端面との衝突を防止して、ランナーを円滑に移動させることができる。
【００３１】
図５は、補助片１７の端面に前記面取り１８に加えて、端面の角部にＲ加工を施して円弧部１９を形成したものである。このような構成により、ランナーをさらに円滑に移動させることができる。
【００３２】
図６は、第一のレール部材１５ａを使用した接合部領域Ａが４つの接合部２０ａ〜２０ｄで構成されるものである。接合部領域Ａ以外の部分は第二のレール部材１５ｂで構成される。
【００３３】
図７は、直線搬送部に対し、２つの接合部２１ａ，２１ｂを介して収納部１２が連結される構成であり、接合部領域Ａが同様に第一のレール部材１５ａで構成され、その他の部分は第二のレール部材１５ｂで構成される。
【００３４】
このような構成においても、収納部１２および各接合部でランナーを円滑に移動させることができる。
上記のように構成されたハンガーレールでは、次に示す作用効果を得ることができる。
（１）ハンガーレールの接合部を第一のレール部材１５ａで構成したことにより、接合部において、パネルを円滑に移動させることができる。
（２）ハンガーレールの接合部を含む接合部領域Ａを第一のレール部材１５ａで構成し、その他の収納部１２および直線搬送部１３を第二のレール部材１５ｂで構成したことにより、収納部１２および直線搬送部１３でパネルを円滑に移動させることができる。
（３）ランナーを円滑に移動させるための加工を各接合部に施す必要はないので、コストの低減を図ることができる。
（４）第一のレール部材１５ａと第二のレール部材１５ｂとの連結部において、第一のレール部材１５ａの端面に面取り１８を施したことにより、その連結部でパネルを円滑に移動させることができる。
（５）第一のレール部材１５ａと第二のレール部材１５ｂとの連結部において、第一のレール部材１５ａの端面に面取り１８を施し、かつ端面の角部にＲ加工を施したことにより、連結部でパネルを円滑に移動させることができる。
（６）接合部領域Ａ以外では、第二のレール部材１５ｂでハンガーレール１１を構成することができる。第二のレール部材１５ｂは第一のレール部材１５ａに比してアルミの使用量が少なくてすむ。従って、ハンガーレール１１の大部分を第二のレール部材１５ｂで構成することができるので、コストの低減を図ることができる。
【００３５】
上記実施の形態は、以下の態様で実施してもよい。
・接合部領域Ａは、直線搬送部１３と収納部１２との間以外のパネルの移動方向転換位置に設けてもよい。
【図面の簡単な説明】
【００３６】
【図１】一実施の形態のハンガーレールを示す断面図である。
【図２】第一のレール部材を示す側面図である。
【図３】第二のレール部材を示す側面図である。
【図４】第一のレール部材の別例を示す斜視図である。
【図５】第一のレール部材の別例を示す斜視図である。
【図６】ハンガーレールの別例を示す断面図である。
【図７】ハンガーレールの別例を示す断面図である。
【図８】従来の間仕切りパネルの概要を示す平面図である。
【図９】ハンガーレール内を移動するランナーを示す側面図である。
【図１０】ハンガーレール内を移動するランナーを示す側面図である。
【図１１】収納部でのパネル操作を示す側面図である。
【図１２】ハンガーレール内を移動するランナーの動作の従来例を示す断面図である。
【符号の説明】
【００３７】
３          パネル
４          ランナー
６ａ        上部転動輪
６ｂ        下部転動輪
１１        ハンガーレール
１２        収納部
１３        直線搬送部
１４ａ〜１４ｃ、２０ａ〜２０ｄ、２１ａ，２１ｂ        接合部
１５ａ        第一のレール部材
１５ｂ        第二のレール部材
１６ａ，１６ｂ      支持片
１７        補助片
Ａ          接合部領域
【図１】
2005351044.tif 000003
【図２】
2005351044.tif 000004
【図３】
2005351044.tif 000005
【図４】
2005351044.tif 000006
【図５】
2005351044.tif 000007
【図６】
2005351044.tif 000008
【図７】
2005351044.tif 000009
【図８】
2005351044.tif 000010
【図９】
2005351044.tif 000011
【図１０】
2005351044.tif 000012
【図１１】
2005351044.tif 000013
【図１２】
2005351044.tif 000014